(57)【要約】【課題】専用の日除け部材や日除け部材の取り付けに部品を必要としないので、部品点数や製造工数が少なく生産性に優れ、日除け部材を容易に着脱、交換して洗濯でき、汗や汚れを洗い流して繰り返し使用できるので衛生的で経済性に優れ、手持ちのハンカチやタオル等から好みの色やデザインを任意に選択して日除け部材として使用できるので汎用性、ファッション性に優れ、屋外での農作業等のほか野球や運動会等の観戦、釣り、登山等をする際に使用し、頭部及び顔の前面や側部、首筋等を太陽の光から保護して日焼けを防止できる機能的なサンバイザーの提供。【解決手段】後端が開口し頭部の周囲を嵌装するベルト状の頭部装着部と、頭部に装着した際に頭部の前方に突出するよう頭部装着部の外周に配設されたひさし部と、頭部装着部又はひさし部の両側の外周に沿ってそれぞれ形成された日除け部材の取り付け用切れ目部と、を備えている。【選択図】  図１
2004353143.tif 000002
【特許請求の範囲】
【請求項１】
後端が開口し頭部の周囲を嵌装するベルト状の頭部装着部と、頭部に装着した際に頭部の前方に突出するよう前記頭部装着部の外周に配設されたひさし部と、前記頭部装着部又は前記ひさし部の両側の外周に沿ってそれぞれ形成された日除け部材の取り付け用切れ目部と、を有することを特徴とするサンバイザー。
【請求項２】
前記頭部装着部の上端に開口して前記取り付け用切れ目部の後端に通じる日除け部材の案内用切れ目部を有することを特徴とする請求項１に記載のサンバイザー。
【請求項３】
前記案内用切れ目部の開口端を開閉する開閉補強手段を有することを特徴とする請求項２に記載のサンバイザー。
【請求項４】
前記頭部装着部の開口両端部を連結する開口幅調整手段を有することを特徴とする請求項１乃至３の内いずれか１項に記載のサンバイザー。
【発明の詳細な説明】
【０００１】
【発明の属する技術分野】
本発明は、日除け部材を着脱可能なサンバイザーに関し、特に、取り付けに特別な手段を必要とせず、任意の日除け部材を容易に着脱可能なサンバイザーに関する。
【０００２】
【従来の技術】
従来、麦わら帽子のように日除けのために作られた帽子は、帽子の全周にわたってひさしが設けられているので、農作業時等における日除けのためには好適に用いられるが、スポーツをするには不向きであり、野球観戦など人が密集する場所ではひさしが視界を遮る等、他人の邪魔になるという問題点があった。また、ひさしが前方にしか設けられていない野球帽では前方からの日差しを遮ることはできるが、側面からの日差しを遮ることができなかった。予め、布等の日除けが取り付けられた野球帽もあるが、このような野球帽では日除けを使用しない時は巻き上げるか、折り返して帽子の側部や上部で固定するようになっている。しかしながら、これらの日除けは使用しない時も帽子に取り付けられているので邪魔であり、また、汗等で汚れても取り外して洗濯することができないという欠点があった。更に、テニスやゴルフ等の各種スポーツ時に使用したり、屋外での野球や運動会等の観戦に使用したりするサンバイザーも、ひさしがある前方からの日差しを遮ることはできるが、上部が開口しているので上方からの日差しが直接、頭部に照りつけ、炎天下や長時間の使用には不向きであるという問題点があった。
【０００３】
これらの問題点を解決するために（特許文献１）には、「帽子の周壁部の左右外面に、所要の間隔を離隔して日除け布の両端部を連結可能な装着部を設けたことを特徴とするえり首日除け布の装着部付き帽子」が開示されている。
また、（特許文献２）には、「帽子の本体のひさしを除く周囲に、日除けを取り付けるための第１の係止手段を設けると共に、ひさしの縁部近傍に日除けを取り付けるための第２の係止手段を設け、日除けの縁部には、第１の係止手段に係合する第３の係止手段と、第２の係止手段に係合する第４の係止手段を設け、第３の係止手段の第１の係止手段に対する取付状態、及び第４の係止手段の第２の係止手段に対する取付状態を変更することにより、帽子本体の背面、側面、及びひさしの任意の位置に、日差しの向きに応じて日除けを取付位置を変えて取り付けられるようにした帽子」が開示されている。
更に、（特許文献３）には、「帽子本体の内側にある折り返し部に複数の金属製雌スナップを取り付け、帽子のひさしの両側の裏面に最低１個の樹脂製雌スナップを取り付け、帽子の調節バンドに面ファスナを取り付けると共に、主日除けには金属製雄スナップと面ファスナを金属製雌スナップと面ファスナに対応させて取り付け、側部日除けには金属製雄スナップと樹脂製雄スナップとをそれぞれ帽子側の金属製雌スナップと樹脂製雌スナップに対応させて取り付け、主日除けと側部日除けとを取り付け位置を誤ることなく帽子の後ろ側と左右に取り付けられるようにした構成を有する日除けを取付可能な帽子」が開示されている。
【０００４】
【特許文献１】
登実第３０３９８２７号
【特許文献２】
特開平１１−３５０２２７号
【特許文献３】
特開２００２−８８５５５号
【０００５】
【発明が解決しようとする課題】
しかしながら、上記従来の技術では、以下のような課題を有していた。
（１）（特許文献１）では、帽子の周壁部の左右外面に、所要の間隔を離隔して日除け布の両端部を連結するための装着部や装着部を取り付けるためのボタンや面ファスナなどの部材を必要とするので製造工数が増えて生産性に欠け、ハンカチなどの日除け布の端部を装着部に通して結着しなければならないので取り付け作業が煩雑であるという課題を有していた。また、日除け布の端部のみを装着部に結着して取り付けるので、中央部が垂れ下がる等して取り付け安定性に欠けるという課題を有していた。
（２）（特許文献２）では、帽子の本体に日除けを取り付けるための面ファスナやレール等の係止手段を設けると共に、日除けにも帽子の本体に取り付けた係止手段に係合する係止手段が必要なので、部品点数及び製造工数が増えて生産性に欠け、専用の日除けしか使用することができないので、取り替え用に予め複数の日除けを用意しなければならず、色やデザインなどの選択の幅が狭く汎用性に欠けるという課題があった。また、洗濯や繰り返し使用をする内に面ファスナの接着力が低下したり、レールに係合する駒片が破損したりして信頼性に欠けるという課題を有していた。
（３）（特許文献３）では、帽子本体の内側に複数の金属製雌スナップや樹脂製雌スナップを取り付け、主日除けや側部日除けに金属製雄スナップや樹脂製雄スナップを取り付けなければならないので、部品点数及び製造工数が増えて生産性に欠け、専用の日除けしか使用することができないので、取り替え用に予め複数の日除けを用意しなければならず、色やデザインなどの選択の幅が狭く汎用性に欠けるという課題を有していた。また、洗濯や繰り返し使用をする内に金属製雄スナップが錆びたり、樹脂製雄スナップが破損したりして信頼性に欠けるという課題を有していた。
【０００６】
本発明は上記従来の課題を解決するもので、専用の日除け部材や日除け部材を取り付けるための部品を必要としないので、部品点数や製造工数が少なく生産性に優れ、日除け部材を容易に着脱、交換して洗濯することができ、汗や汚れを洗い流して繰り返し使用できるので衛生的で経済性に優れ、手持ちのハンカチやタオル等から好みの色やデザインを任意に選択して日除け部材として使用できるので汎用性、ファッション性に優れ、屋外での農作業等のほか野球や運動会等の観戦、釣り、登山等をする際に使用し、頭部及び顔の前面や側部、首筋等を太陽の光から保護して日焼けを防止できる機能的なサンバイザーを提供することを目的とする。
【０００７】
【課題を解決するための手段】
上記課題を解決するために本発明のサンバイザーは、以下の構成を有している。
本発明の請求項１に記載のサンバイザーは、後端が開口し頭部の周囲を嵌装するベルト状の頭部装着部と、頭部に装着した際に頭部の前方に突出するよう前記頭部装着部の外周に配設されたひさし部と、前記頭部装着部又は前記ひさし部の両側の外周に沿ってそれぞれ形成された日除け部材の取り付け用切れ目部と、を備えている構成を有している。
【０００８】
この構成により、以下のような作用を有する。
（１）頭部に装着した際に頭部の前方に突出するようひさし部が頭部装着部の外周に配設されているので、前方からの日差しを遮って顔の日焼けを防止することができる。
（２）頭部装着部又はひさし部の両側に外周に沿ってそれぞれ形成された日除け部材の取り付け用切れ目部を有するので、手持ちのハンカチやスカーフ、タオル等の任意の布を一方の取り付け用切れ目部の外側から他方の取り付け用切れ目部の外側へ挿通し、日除け部材を略コの字型に取り付け、頭部及び顔の前面や側面や両側、首筋を覆って、日差しを遮ると共に、汗を吸収させることができる。
（３）取り付け用切れ目部に好みの色やデザインの布を任意に選択して挿通するだけで日除け部材として使用でき、日除け部材を容易に取り外して洗濯や交換が可能で繰り返し使用することができると共に衛生性に優れる。
【０００９】
ここで、頭部装着部及びひさし部の材質としてはポリスチレン、ポリエチレン、ポリプロピレン、ＰＥＴ、ポリアミドなどの合成樹脂のほか、麦わらや合成樹脂繊維等を編んだもの、合成紙等の厚紙等を使用することができる。弾力性と剛性を有する合成樹脂を使用した場合、数種類のサイズで頭部の大きさに合わせて対応することができるので汎用性があり、細かい寸法毎に多数のサイズを用意する必要がなく、在庫管理も容易で生産性に優れる。麦わらや合成樹脂繊維等を編んで作製する場合、補強のために合成樹脂や針金などを芯材として用いてもよい。また、合成紙等の厚紙等で作製した場合は、安価で生産性に優れ、手軽に使用することができる。
また、ひさし部は着色透明若しくは不透明であることが好ましい。これにより、太陽等の光の透過を防ぎ、眩しさや暑さを低減できる。尚、ひさし部を透明にし、表面に紫外線をカットするフィルム等を貼り付けるようにしてもよい。これにより、前方が見易く視野を広くすることができると共に、眩しさや暑さを低減することができる。
取り付け用切れ目部の幅は、約２ｍｍ〜２０ｍｍ好ましくは約３ｍｍ〜１０ｍｍが望ましい。取り付け用切れ目部の幅が３ｍｍより狭くなるにつれ加工性や取り付け作業性が低下すると共に、厚手のタオル等を取り付け難くなる傾向があり、１０ｍｍより広くなるにつれて日除け部材を保持することができず、抜け落ちたりする傾向があるのでいずれも好ましくない。
頭部装着部及びひさし部を合成樹脂で作製する場合、頭部装着部とひさし部を別々に成形し、頭部装着部に取り付け用切れ目部を打ち抜き等で形成して、ひさし部を接合するか、一体で成形した後、ひさし部のみを上下で挟むようにして取り付け用切れ目部を打ち抜いて形成する。
【００１０】
請求項２に記載の発明は、請求項１に記載のサンバイザーであって、前記頭部装着部の上端に開口して前記取り付け用切れ目部の後端に通じる日除け部材の案内用切れ目部を備えている構成を有している。
この構成により、請求項１の作用に加え、以下のような作用を有する。
（１）取り付け用切れ目部の後端に頭部装着部の上端に開口した日除け部材の案内用切れ目部が形成されているので、案内用切れ目部から日除け部材をスライドさせるようにして容易に取り付け、取り外しを行うことができる。
（２）取り付け用切れ目部の長さに対して大判のタオル等日除け部材の幅が広い場合は、日除け部材のはみ出た部分を後方に垂らすようにして使用することもできる。
ここで、案内用切れ目部の幅は、取り付け用切れ目部の幅と同程度でもよいが、取り付け用切れ目部の幅よりも若干、狭くしたり、広くしたりしてもよい。
案内用切れ目部の幅が取り付け用切れ目部の幅よりも狭い場合は、日除け部材を確実に保持して抜け落ちるのを防止でき信頼性に優れ、広い場合は、日除け部材を取り付け用切れ目部に容易に案内することができ作業性に優れる。
頭部装着部に案内用切れ目部を形成する場合、頭部装着部が三つに分断されるので、ひさし部の外周部を厚くしたり、補強部材を配設したりして剛性を持たせることが好ましい。これにより、ひさし部の取り付け用切れ目部における変形や破損を防止することができる。
【００１１】
請求項３に記載の発明は、請求項２に記載のサンバイザーであって、前記案内用切れ目部の開口端を開閉する開閉補強手段を備えている構成を有している。
この構成により、請求項２の作用に加え、以下のような作用を有する。
（１）案内用切れ目部の開口端を開閉する開閉補強手段を備えているので、日除け部材を確実に保持し、抜け落ちるのを防止することができる。
（２）案内用切れ目部の開口端を開閉する開閉補強手段を備えているので、案内用切れ目部における変形や破損を防止することができる。
ここで、開閉補強手段の材質は頭部装着部やひさし部と同様の合成樹脂を使用することが好ましい。これにより製造工数を低減して生産性に優れる。
また、開閉補強手段は略コの字状に形成し、一端を頭部装着部に枢軸して回動自在に取り付けて他端側を頭部装着部に形成した溝に係止する方法や、開閉補強手段をリップ溝型に形成し、頭部装着部に形成した溝に係止して摺動自在に取り付ける方法等がある。
【００１２】
請求項４に記載の発明は請求項１乃至３の内いずれか１項に記載のサンバイザーであって、前記頭部装着部の開口両端部を連結する開口幅調整手段を備えた構成を有している。
この構成により、請求項１乃至３の内いずれか１項の作用に加え、以下のような作用を有する。
（１）頭部装着部の開口両端部を連結する開口幅調整手段を有するので、頭部装着部の開口幅を容易に調整して頭部の大きさに合わせてサンバイザーを装着し、確実に保持することができる。
ここで、開口幅調整手段はゴムでもよいし、裏面に面ファスナを有する帯状の部材を頭部装着部の一端に配設し頭部装着部の他端に配設した面ファスナと所望の位置で貼り付けるようにしてもよいし、頭部装着部の一端に配設した帯状の部材を頭部装着部の他端に配設したロの字型等の係止部に挿通したり、帯状の部材に形設した複数の孔部の内の所望の位置で突起状や棒状の嵌入部材を嵌入するようにしてもよい。
【００１３】
【発明の実施の形態】
以下、本発明の実施の形態について、図面を用いて説明する。
（実施の形態１）
図１は実施の形態１におけるサンバイザーの全体斜視図であり、図２は日除け部材の取り付け状態を示す全体斜視図である。
図１中、１は実施の形態１におけるサンバイザー、２は後端が開口し頭部の周囲に嵌装されるようベルト状に形成された頭部装着部、３は頭部に装着した際に頭部の前方に突出するよう頭部装着部２の両側部から前方の外周に延設されたひさし部、４はひさし部３の両側に外周に沿ってそれぞれ形成された日除け部材の取り付け用切れ目部である。
図１において、頭部装着部２及びひさし部３はポリスチレン、ポリエチレン、ポリプロピレン、ＰＥＴ、ポリアミドなどの合成樹脂等で作製し、取り付け用切れ目部の幅を約３ｍｍ〜１０ｍｍで形成した。取り付け用切れ目部の幅が３ｍｍより狭くなるにつれ加工性や取り付け作業性が低下すると共に、厚手のタオル等を取り付け難くなり、１０ｍｍより広くなるにつれて日除け部材を保持することができず、抜け落ち易くなることがわかった。
【００１４】
以上のように構成された実施の形態１におけるサンバイザーについて、その使用方法を説明する。
図２中、１０はサンバイザー１のひさし部３に形成された一方の取り付け用切れ目部４に挿通されたハンカチやスカーフ、タオル等の日除け部材である。
日除け部材１０は一方の取り付け用切れ目部４の外側からサンバイザー１の内側を通って他方の取り付け用切れ目部４の外側へ挿通され、略コの字型に取り付けられる。日除け部材１０を取り付けたサンバイザー１は頭部装着部２において頭部に装着される。サンバイザー１を装着することにより、ひさし部３で顔の正面部を日除け部材１０で頭部及び顔の前面や側面や両側、首筋等を日差しから保護する。
【００１５】
以上のように実施の形態１におけるサンバイザーによれば、以下の作用を有する。
（１）頭部に装着した際に頭部の前方に突出するようひさし部が頭部装着部の外周に配設されているので、前方からの日差しを遮って顔の日焼けを防止することができる。
（２）ひさし部の両側にそれぞれ形成された日除け部材の取り付け用切れ目部に、手持ちのハンカチやスカーフ、タオル等の任意の布を日除け部材として取り付けることにより、頭部及び顔の前面や側部、首筋を覆って、日差しを遮ると共に、汗を吸収させることができる。
（３）取り付け用切れ目部に好みの色やデザインの布を任意に選択して挿通するだけで日除け部材として使用でき、日除け部材を容易に取り外して洗濯や交換が可能で繰り返し使用することができると共に衛生性に優れる。
【００１６】
（実施の形態２）
実施の形態２におけるサンバイザーについて、以下、図面を用いて説明する。
尚、実施の形態１と同様のものには同一の符号を付して説明を省略する。
図３（ａ）は実施の形態２におけるサンバイザーの背面側の全体斜視図であり、図３（ｂ）は実施の形態２の変形例を示す背面側の全体斜視図である。
図３（ａ）中、２ａは頭部装着部２の上部に形成された係止溝、５ａは取り付け用切れ目部４に直交するように頭部装着部２の上端に開口した案内用切れ目部、６はリップ溝型に形成され頭部装着部２の係止溝２ａに摺動可能に係止された開閉補強手段、７は裏面に面ファスナ７ｂを備えて頭部装着部２の一端部に配設された帯状部材７ａと頭部装着部２の他端部に配設された面ファスナ７ｃとを有する開口幅調整手段である。
図３（ｂ）中、２ｂは頭部装着部２の上部に形成された係止溝、６’は略コの字型に形成され頭部装着部２の端部に枢軸部６ａ’によって回動可能に枢軸されて係止溝２ｂに係止される開閉補強手段、７’は複数の嵌入孔７ｂ’を形設されて頭部装着部２の一端側に配設された帯状部材７ａ’と頭部装着部２の他端側に配設された断面略ロの字型の係止部７ｃ’及び嵌入用突起７ｄ’を有する開口幅調整手段である。
図３において、実施の形態２が実施の形態１と異なるのは、案内用切れ目部５ａを有する点と、案内用切れ目部５ａの開口部を開閉する開閉補強手段６又は６’を有する点と、頭部装着部２の開口両端部を連結する開口幅調整手段７又は７’を有する点である。
【００１７】
以上のように構成された実施の形態１におけるサンバイザーについて、その使用方法を説明する。
図３において、ハンカチやスカーフ、タオル等の日除け部材は、取り付け用切れ目部４に直交して形成された案内用切れ目部５ａからスライドさせるようにして取り付け用切れ目部４に挿通される。日除け部材を挿通後、開閉補強手段６を摺動させるか、開閉補強手段６’を回動させて案内用切れ目部５ａの開口端を閉じて日除け部材を保持する。このようにして日除け部材を取り付けたサンバイザー１を頭部装着部２において頭部に装着する際に、帯状部材７ａの裏面に配設された面ファスナ７ｂを頭部装着部２の他端部に配設された面ファスナ７ｃに貼り付けたり、帯状部材７ａ’を頭部装着部２の他端部に配設された断面略ロの字型の係止部７ｃ’に挿通して複数の嵌入孔７ｂ’の内の所望の位置で嵌入用突起７ｄ’に嵌入したりして頭部装着部２の開口幅を調整する。
また、取り付け用切れ目部４の長さに対して日除け部材の幅が広い場合は、日除け部材の一部を折り返して挿通するか、開閉補強手段６又は６’を開いたままにして、はみ出た部分を後方に垂らすようにして使用する。
尚、ひさし部３の腰が強い場合等、十分な剛性を確保できるときは、開閉補強手段６や６’を設けなくてもよい。
【００１８】
以上のように実施の形態２におけるサンバイザーによれば、実施の形態１の作用に加え、以下の作用を有する。
（１）取り付け用切れ目部の後端に頭部装着部の上端に開口した日除け部材の案内用切れ目部が形成されているので、案内用切れ目部から日除け部材をスライドさせるようにして容易に取り付け、取り外しを行うことができる。
（２）取り付け用切れ目部の長さに対して大判のタオル等日除け部材の幅が広い場合は、日除け部材のはみ出た部分を後方に垂らすようにして使用することもできる。
（３）案内用切れ目部の開口端を開閉する開閉補強手段を備えているので、日除け部材を確実に保持し、抜け落ちるのを防止することができる。
（４）案内用切れ目部の開口端を開閉する開閉補強手段を備えているので、案内用切れ目部における変形や破損を防止することができる。
（５）頭部装着部の開口両端部を連結する開口幅調整手段を有するので、頭部装着部の開口幅を容易に調整して頭部の大きさに合わせてサンバイザーを装着し、確実に保持することができる。
【００１９】
【発明の効果】
以上のように、本発明のサンバイザーによれば、以下のような有利な効果が得られる。
請求項１に記載の発明によれば、以下のような効果を有する。
（１）頭部に装着した際に頭部の前方に突出するようひさし部が頭部装着部の下部に配設されているので、前方からの日差しを遮って顔の日焼けを防止することができる機能性に優れるサンバイザーを提供することができる。
（２）頭部装着部又はひさし部の両側に外周に沿ってそれぞれ形成された日除け部材の取り付け用切れ目部を有するので、手持ちのハンカチやスカーフ、タオル等の任意の布を一方の取り付け用切れ目部の外側から他方の取り付け用切れ目部の外側へ挿通し、日除け部材を略コの字型に取り付け、頭部及び顔の前面や側面や両側、首筋を覆って、日差しを遮ると共に、汗を吸収させることができる機能性、汎用性に優れるサンバイザーを提供することができる。
（３）取り付け用切れ目部に好みの色やデザインの布を任意に選択して挿通するだけで日除け部材として使用できるので汎用性、ファッション性に優れると共に、日除け部材を容易に取り外して洗濯や交換が可能で繰り返し使用することができる衛生的で経済性に優れるサンバイザーを提供することができる。
【００２０】
請求項２に記載の発明によれば、請求項１の効果に加え、以下のような効果を有する。
（１）取り付け用切れ目部の後端に頭部装着部の上端に開口した日除け部材の案内用切れ目部が形成されているので、案内用切れ目部から日除け部材をスライドさせるようにして容易に取り付け、取り外しを行うことができる取り扱い性、機能性に優れるサンバイザーを提供することができる。
（２）取り付け用切れ目部の長さに対して大判のタオル等日除け部材の幅が広い場合は、日除け部材のはみ出た部分を後方に垂らすようにして使用することもできる汎用性に優れるサンバイザーを提供することができる。
【００２１】
請求項３に記載の発明によれば、請求項２の効果に加え、以下のような効果を有する。
（１）案内用切れ目部の開口端を開閉する開閉補強手段を備えているので、日除け部材を確実に保持し、抜け落ちるのを防止することができる信頼性に優れるサンバイザーを提供することができる。
（２）案内用切れ目部の開口端を開閉する開閉補強手段を備えているので、頭部装着部の外周端に開口している案内用切れ目部が破損するのを防止することができる信頼性に優れるサンバイザーを提供することができる。
【００２２】
請求項４に記載の発明によれば、請求項１乃至３の内いずれか１項の効果に加え、以下のような効果を有する。
（１）頭部装着部の開口両端部を連結する開口幅調整手段を有するので、頭部装着部の開口幅を容易に調整して頭部の大きさに合わせて装着し、確実に保持することができる信頼性、汎用性に優れるサンバイザーを提供することができる。
【図面の簡単な説明】
【図１】本発明の実施の形態１におけるサンバイザーの全体斜視図
【図２】日除け部材の取り付け状態を示す全体斜視図
【図３】（ａ）実施の形態２におけるサンバイザーの背面側の全体斜視図
（ｂ）実施の形態２の変形例を示す背面側の全体斜視図
【符号の説明】
１  サンバイザー
２  頭部装着部
２ａ、２ｂ  係止溝
３  ひさし部
４  取り付け用切れ目部
５ａ  案内用切れ目部
６、６’  開閉補強手段
６ａ’  枢軸部
７、７’  開口幅調整手段
７ａ、７ａ’  帯状部材
７ｂ、７ｃ  面ファスナ
７ｂ’  嵌入孔
７ｃ’  係止部
７ｄ’  嵌入用突起
１０  日除け部材
【図１】
2004353143.tif 000003
【図２】
2004353143.tif 000004
【図３】
2004353143.tif 000005